(57)【要約】【課題】枠材が極力露出せず、意匠性を高めることが可能な嵌め殺し窓を提供する。【解決手段】建物の壁体に形成した開口部１５に上枠２１と下枠２２と左右縦枠２４、２５とで枠組みした窓枠を設置し、この窓枠内にガラス２６を納めた。前記上枠２１及び前記左右縦枠２４、２５には、枠内方向に突出したガラス支持部２１ａ、２４ａ、２５ａを形成した。前記ガラス２６は、屋内側から押縁部材２７、２８で押されることにより、この押縁部材２７、２８と前記ガラス支持部２１ａ、２４ａ、２５ａとで挟まれて前記上枠２１及び前記左右縦枠２４、２５に固定されるようにした。前記上枠２１及び前記左右縦枠２４、２５において、前記ガラス支持部２１ａ、２４ａ、２５ａの内縁２１ｂ、２４ｂ、２５ｂと、前記開口部１５の外壁側の端縁１５ａとが、見込方向に重なる位置に配置されるようにした。【選択図】図２
2012052341.tif 000002
【特許請求の範囲】
【請求項１】
建物の壁体に形成した開口部に上枠と下枠と左右縦枠とで枠組みした窓枠を設置し、この窓枠内にガラスを納めた嵌め殺し窓において、
前記上枠及び前記左右縦枠には、枠内方向に突出したガラス支持部が形成されており、
前記ガラスは、屋内側から押縁部材で押されることにより、この押縁部材と前記ガラス支持部とで挟まれて前記上枠及び前記左右縦枠に固定され、
前記上枠及び前記左右縦枠において、前記ガラス支持部の内縁と、前記開口部の外壁側の端縁とが、見込方向に重なる位置に配置されていることを特徴とする、嵌め殺し窓。
【請求項２】
前記左右縦枠に取り付けられる前記押縁部材は、一端が室内壁と連続するように係止されるとともに、他端が前記ガラスの表面を支持しており、
更に、前記押縁部材の露出面は、一端側から他端側に行くに従って枠内方向に傾斜していることを特徴とする、請求項１記載の嵌め殺し窓。
【請求項３】
前記上枠及び前記左右縦枠は、前記ガラス支持部の端部から屋外方向に延設された延設部を有することを特徴とする、請求項１又は２記載の嵌め殺し窓。
【請求項４】
前記下枠には、屋外方向に延設された水切り部が一体形成されていることを特徴とする、請求項１〜３のいずれかに記載の嵌め殺し窓。
【発明の詳細な説明】
【技術分野】
【０００１】
この発明は、壁体に形成した開口部の奥に上枠と下枠と左右縦枠とで枠組みした窓枠を設置し、この窓枠内にガラスを納めた嵌め殺し窓に関するものである。
【背景技術】
【０００２】
従来、窓枠と窓枠内に固定されるガラスとを備えた嵌め殺し窓（ＦＩＸ窓）が知られている（例えば、特許文献１参照）。
【０００３】
こうした嵌め殺し窓では、上枠と下枠と左右縦枠とで枠組みした窓枠の内部にガラスが納められ、各枠材に係合する押縁部材がガラスを屋内側から押圧し、この押縁部材と各枠材とでガラスを挟持することによって、ガラスが窓枠に固定されるようになっている。
【先行技術文献】
【特許文献】
【０００４】
【特許文献１】特開２０１０−４３４０３号公報
【発明の概要】
【発明が解決しようとする課題】
【０００５】
しかし、上記した従来の嵌め殺し窓では、外観、内観ともに、枠材が目立って露出しており、窓の意匠性を損なってしまうという問題があった。
【０００６】
そこで、本発明は、枠材が極力露出せず、意匠性を高めることが可能な嵌め殺し窓を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の嵌め殺し窓は、建物の壁体に形成した開口部に上枠と下枠と左右縦枠とで枠組みした窓枠を設置し、この窓枠内にガラスを納めた嵌め殺し窓において、前記上枠及び前記左右縦枠には、枠内方向に突出したガラス支持部が形成されており、前記ガラスは、屋内側から押縁部材で押されることにより、この押縁部材と前記ガラス支持部とで挟まれて前記上枠及び前記左右縦枠に固定され、前記上枠及び前記左右縦枠において、前記ガラス支持部の内縁と、前記開口部の外壁側の端縁とが、見込方向に重なる位置に配置されていることを特徴とする。
【００１０】
（請求項２）
請求項２に記載の発明は、上記した請求項１記載の発明の特徴点に加え、以下の点を特徴とする。
【００１１】
すなわち、前記左右縦枠に取り付けられる前記押縁部材は、一端が室内壁と連続するように係止されるとともに、他端が前記ガラスの表面を支持しており、更に、前記押縁部材の露出面は、一端側から他端側に行くに従って枠内方向に傾斜していることを特徴とする。
【００１２】
（請求項３）
請求項３に記載の発明は、上記した請求項１又は２記載の発明の特徴点に加え、以下の点を特徴とする。
【００１３】
すなわち、前記上枠及び前記左右縦枠は、前記ガラス支持部の端部から屋外方向に延設された延設部を有することを特徴とする。
【００１４】
（請求項４）
請求項４に記載の発明は、上記した請求項１〜３のいずれかに記載の発明の特徴点に加え、以下の点を特徴とする。
【００１５】
すなわち、前記下枠には、屋外方向に延設された水切り部が一体形成されていることを特徴とする。
【発明の効果】
【００１６】
請求項１に記載の発明は上記の通りであり、建物の壁体に形成した開口部に窓枠が設置されているから、開口部の内面が外部に露出して壁の厚みが外部から見える深見込みの構成とすることができ、重厚感が強調された意匠性の高い嵌め殺し窓を提供できる。また、上枠及び左右縦枠において、ガラスを固定するために枠内方向に突出したガラス支持部の内縁と開口部の外壁側の端縁とが見込方向に重なる位置に配置されている。このため、屋外から見たときにガラス支持部が壁体に埋もれるように配置されることとなり、枠材が極力露出せず、嵌め殺し窓の意匠性を高めることができる。
【００１７】
また、請求項２に記載の発明は上記の通りであり、押縁部材の露出面が傾斜しているため、屋内から見たときに押縁部材の出っ張りがなく、押縁部材及び枠を目立たなくすることができ、嵌め殺し窓の意匠性を高めることができる。
【００１８】
また、請求項３に記載の発明は上記の通りであり、前記上枠及び前記左右縦枠は、前記ガラス支持部の端部から屋外方向に延設された延設部を有するため、この延設部で壁体の開口部の内周を覆うことができる。このようにすれば、壁体の壁圧を厚くして深見込みとした場合でも、コーナーサイディング材などの特別なサイディング材を使用せずに一般的なサイディング材で壁体の開口部を形成することができる。すなわち、開口部のサイディング材の端部を延設部の側面に突き合わせれば、一般的なサイディング材であっても端部を位置決めして隠すことができ、納まり良く使用することができる。
【００１９】
また、請求項４に記載の発明は上記の通りであり、下枠に屋外方向に延設された水切り部が一体形成されているため、別途水切り用の部材を用意する必要がない。
【図面の簡単な説明】
【００２０】
【図１】第１の実施形態を説明する図であって、（ａ）嵌め殺し窓の外観図（ｂ）嵌め殺し窓の内観図である。
【図２】第１の実施形態を説明する図であって、嵌め殺し窓の縦断面図である。
【図３】第１の実施形態を説明する図であって、図１の上枠付近を拡大した部分拡大断面図である。
【図４】第１の実施形態を説明する図であって、嵌め殺し窓の横断面図である。
【図５】第１の実施形態を説明する図であって、図３の左枠付近を拡大した部分拡大断面図である。
【図６】第２の実施形態を説明する図であって、（ａ）嵌め殺し窓の外観図（ｂ）嵌め殺し窓の内観図である。
【図７】第２の実施形態を説明する図であって、嵌め殺し窓の縦断面図である。
【図８】第２の実施形態を説明する図であって、図５の上枠付近を拡大した部分拡大断面図である。
【図９】第２の実施形態を説明する図であって、嵌め殺し窓の横断面図である。
【図１０】第２の実施形態を説明する図であって、図７の左枠付近を拡大した部分拡大断面図である。
【図１１】第１の実施形態及び第２の実施形態の変形例を説明する図であって、嵌め殺し窓の縦断面図である。
【発明を実施するための形態】
【００２１】
以下、本発明の実施形態について説明する。なお、説明中「左」は屋内側から窓を見たときの左方向を意味し、同様に、「右」は屋内側から窓を見たときの右方向を意味するものとする。
【００２２】
（第１の実施形態）
本発明の第１の実施形態について、図１〜５を参照しながら説明する。
【００２３】
本実施例に係る嵌め殺し窓１０は、図１〜５に示すように、住宅等の建物の壁体に形成した開口部１５の奥に上枠２１と下枠２２と左縦枠２４と右縦枠２５とで枠組みした窓枠を設置し、この窓枠内にガラス２６を納めて形成されている。
【００２４】
上記した窓枠を構成する上枠２１、下枠２２、左縦枠２４及び右縦枠２５は、アルミの押し出し型材にて成型された金属枠であり、図２及び図４に示すように、外壁１１の表面から奥まった位置に配置されて深見込みとなっている。
【００２５】
下枠２２には、図２に示すように、ガラス２６の下端部を飲み込む飲込み部２２ａが形成されている。この飲込み部２２ａの下部にはセッティングブロック３３が配置されている。このセッティングブロック３３の上には、ガラス２６の下端部が載置され、このガラス２６の下端部を、飲込み部２２ａの両側面が緩衝部材２９を介して支持するようになっている。
【００２６】
なお、この下枠２２には、屋外方向に延設された水切り部２２ｂが一体形成されている。このため、水切り部を形成するために別部材の捨て枠等を用いる必要がなく、すっきりと意匠性の良い深見込みの窓枠を構成できるようなっている。
【００２７】
上枠２１は、ガラス２６の上端を挟持するためのものであり、図３に示すように、ガラス２６の上端に相対するように枠内方向（すなわち下方向）に突出したガラス支持部２１ａが形成されている。この上枠２１にガラス２６を固定する際には、ガラス支持部２１ａの内側に緩衝部材２９を取り付け、この緩衝部材２９を介してガラス支持部２１ａでガラス２６の上端の屋外側面を支持する。そして、屋内側から上枠押縁部材２７を嵌め込む。すなわち、上枠押縁部材２７の裏面側を上枠２１の押縁係合部２１ｃに係合させることで、ガラス２６の屋内側に上枠押縁部材２７を取り付ける。これにより、この上枠押縁部材２７が緩衝部材２９を介して屋内側からガラス２６をガラス支持部２１ａの方向へと押圧し、ガラス２６は、上枠押縁部材２７とガラス支持部２１ａとで挟み込まれて固定される。
【００２８】
このとき、上枠押縁部材２７は、露出面２７ｃが水平となるように上枠２１に固定され、この露出面２７ｃが屋内側の額縁部材３１及びアングル材３０と連続するようになっている。このため、屋内側から見たときに上枠２１及び上枠押縁部材２７が目立たず、すっきりとした外観を呈するように形成されている。なお、この露出面２７ｃは、屋外側から見たときには、壁体の開口部１５の上面と面一となるようになっており、このときにも外観上意識されないような造りとなっている。
【００２９】
左縦枠２４は、ガラス２６の左端を挟持するためのものであり、図５に示すように、ガラス２６の左端に相対するように枠内方向（すなわち右方向）に突出したガラス支持部２４ａが形成されている。この左縦枠２４にガラス２６を固定する際には、ガラス支持部２４ａに緩衝部材２９を取り付け、この緩衝部材２９を介してガラス支持部２４ａでガラス２６の左端の屋外側面を支持する。そして、屋内側から縦枠押縁部材２８を嵌め込む。すなわち、縦枠押縁部材２８の屋内側の端縁付近に形成された係止端部２８ａを左縦枠２４の押縁係合部２４ｃに係合させ、縦枠押縁部材２８の裏面側を左縦枠２４に固定して、ガラス２６の屋内側に縦枠押縁部材２８を取り付ける。このとき、縦枠押縁部材２８の屋外側の端縁付近に形成された支持端部２８ｂには緩衝部材２９を取り付けており、この緩衝部材２９がガラス２６に当接するようになっている。これにより、この縦枠押縁部材２８が緩衝部材２９を介して屋内側からガラス２６をガラス支持部２４ａの方向へと押圧し、ガラス２６は、縦枠押縁部材２８とガラス支持部２４ａとで挟み込まれて固定される。
【００３０】
このとき、縦枠押縁部材２８は、露出面２８ｃが斜めとなるように左縦枠２４に固定される。くわしくは、図５に示すように、左縦枠２４に取り付けられる縦枠押縁部材２８は、一端が左縦枠２４に係止される係止端部２８ａとなっており、他端がガラス２６の表面を支持する支持端部２８ｂとなっている。係止端部２８ａは屋内側の額縁部材３１及びアングル材３０と連続するように配置されており、前記した露出面２８ｃは、この係止端部２８ａから支持端部２８ｂの方向に行くに従って枠内方向（右方向）に傾斜するようになっている。言い換えると、前記した露出面２８ｃは、屋内側から屋外側に行くに従って枠内方向へ狭まるように傾斜している。このように縦枠押縁部材２８の露出面２８ｃに凹凸ができないように露出面２８ｃが傾斜しているため、左縦枠２４及び縦枠押縁部材２８が視覚的に目立たないように形成されている。
【００３１】
ところで、本実施形態に係る外壁１１は、図２及び図４に示すように、下地材１６の外側にサイディング材１２が貼設されて形成されており、表面に嵌め殺し窓用の開口部１５を有するものである。この開口部１５は、上部のコーナーサイディング材１３と、左右のコーナーサイディング材１３と、下部の水切り部２２ｂと、で区画されて形成されている。
【００３２】
すなわち、この開口部１５の下部においては、図２に示すように、下枠２２の水切り部２２ｂが開口部１５の外壁面１１ａの縁部まで延出しており、この水切り部２２ｂが開口部１５の下方内側を覆っている。この水切り２２ｂの先端は、図２に示すように、外壁面１１ａを超えて延出しており、その先端は下方に折れ曲がっている。
【００３３】
この水切り部２２ｂの先端部には、角を覆うように水切りキャップ３６が装着されており、安全性を高めるようになっている。
【００３４】
なお、この水切り部２２ｂの下部においてはサイディング材１２が外壁１１を形成しており、このサイディング材１２の端部が下枠２２の水切り部２２ｂの下面側に臨むように配置されている。そして、このサイディング材１２の端部と下枠２２との間には、コーキング材１４が充填され、両者の間の間隙が埋められている。
【００３５】
一方、開口部１５の上部においては、図３に示すように、屋内側に直角に屈折形成されたコーナーサイディング材１３が配置されている。このコーナーサイディング材１３は、屋内側に折り込まれて開口部１５の内壁を構成する内壁部１３ａを有しており、この内壁部１３ａの開放端部が、上枠２１の屋外側面に臨むように配置されている。そして、この内壁部１３ａの端部と上枠２１との間には、コーキング材１４が充填されて間隙が埋められている。なお、この上枠２１との間のコーキング材１４は、後述する左右縦枠２４、２５との間のコーキング材１４と連続しており、すなわち、上枠２１と左右縦枠２４、２５とに沿って連続するようにコーキング材１４が充填されている。
【００３６】
このとき、この上枠２１においては、図３に示すように、ガラス支持部２１ａの内縁２１ｂと、開口部１５の外壁１１側の端縁１５ａ（開口部１５と外壁面１１ａとで形成される角部の内縁）とが、見込方向に重なる位置に配置されている。言い換えると、上枠２１のガラス支持部２１ａは、コーナーサイディング材１３で区画される開口１５の内壁に対して略面一となるように、枠内方向（下方向）に突出して形成されている。このため、屋外から見たときにガラス支持部２１ａが壁体に埋もれるように配置されることとなっており、上枠２１が露わとならないように形成されている。
【００３７】
また、開口部１５の左部においても、図５に示すように、屋内側に直角に屈折形成されたコーナーサイディング材１３が配置されている。このコーナーサイディング材１３は、屋内側に折り込まれて開口部１５の内壁を構成する内壁部１３ａを有しており、この内壁部１３ａの開放端部が、左縦枠２４の屋外側面に臨むように配置されている。そして、この内壁部１３ａの端部と左縦枠２４との間には、コーキング材１４が充填されて間隙が埋められている。
【００３８】
このとき、この左縦枠２４においては、図５に示すように、ガラス支持部２４ａの内縁２４ｂと、開口部１５の外壁１１側の端縁１５ａとが、見込方向に重なる位置に配置されている。言い換えると、左縦枠２４のガラス支持部２４ａは、コーナーサイディング材１３で区画される開口１５の内壁に対して面一となるように、枠内方向（右方向）に突出して形成されている。このため、屋外から見たときにガラス支持部２４ａが壁体に埋もれるように配置されることとなっており、左縦枠２４が露わとならないように形成されている。
【００３９】
なお、上記説明において、一部左縦枠２４についてのみ説明し、右縦枠２５についての説明は割愛した。すなわち、図４に示すように、左縦枠２４と右縦枠２５とは左右対称であるので、左縦枠２４についての説明の左右を読み替えれば右縦枠２５の説明となるため、重複する記載を省略した。
【００４０】
以上説明したように、本実施形態によれば、壁体に形成した開口部１５の奥に窓枠が設置され、開口部１５の内面が外部に露出して壁体の厚みが外部から見える深見込みの構成であるから、重厚感が強調された意匠性の高い嵌め殺し窓１０となっている。しかも、屋外から見たときにガラス支持部２１ａ、２４ａが壁体に埋もれるように配置されており、枠材が極力露出しないため、すっきりとした意匠性の高い嵌め殺し窓１０となっている。
【００４１】
すなわち、図１（ａ）に示すように、嵌め殺し窓１０を室外側から見ると、下枠２２のみが見えており、上枠２１や左右縦枠２４、２５が見えないため、すっきりとした意匠性の高い嵌め殺し窓１０となっている。
【００４２】
また、縦枠押縁部材２８の露出面２８ｃが傾斜しているため、屋内から見たときにも縦枠押縁部材２８の出っ張りがなく、縦枠押縁部材２８及び左右縦枠２４、２５を目立たなくすることができる。
【００４３】
すなわち、図１（ｂ）に示すように、嵌め殺し窓１０を室内側から見ると、上下枠２１、２２や左右縦枠２４、２５が内壁３４の裏側に配置されて見えない構造となっている。また、縦枠押縁部材２８は露出しているものの、凹凸がないために目立たないようになっている。なお、本実施形態においては額縁部材３１で室内側の開口部を覆っているが、額縁部材３１を設けずにクロス材を貼り付けるのみとしてもよい。
【００４４】
なお、上記説明においてはコーナーサイディング材１３を使用したが、コーナーサイディング材１３の代わりに一般的なサイディング材１２を使用し、サイディング材１２を組み合わせてコーナーを形成するようにしてもよい。
【００４５】
（第２の実施形態）
本発明の第２の実施形態について、図６〜１０を参照しながら説明する。
【００４６】
なお、本実施形態の基本的構成は第１の実施形態と同様であるので、以下の説明においては、重複する説明を省略し、本実施形態の特徴点のみ説明する。
【００４７】
ここで、本実施形態の特徴点は、第１の実施形態の上枠２１に代えて、ガラス支持部２１ａの端部から屋外方向に延設部２１ｄを延設させた上枠２１を使用し、第１の実施形態の左縦枠２４に代えて、ガラス支持部２４ａの端部から屋外方向に延設部２４ｄを延設させた左縦枠２４を使用し、第１の実施形態の右縦枠２５に代えて、ガラス支持部２５ａの端部から屋外方向に延設部２５ｄを延設させた右縦枠２５を使用した点にある。
【００４８】
すなわち、図７及び図８に示すように、上枠２１のガラス支持部２１ａの端部からは、屋外方向に延設部２１ｄが開口部１５の縁部まで水平に延設されており、この延設部２１ｄが窓開口の上方内側を覆うようになっている。この延設部２１ｄの上方には、外壁１１を形成するサイディング材１２が配置されており、このサイディング材１２の端部が延設部２１ｄの上面側に臨んでいる。そして、このサイディング材１２の端部と上枠２１との間には、コーキング材１４が充填されて間隙が埋められている。なお、この上枠２１との間のコーキング材１４は、図６に示すように、後述する左右縦枠２４、２５との間のコーキング材１４と連続しており、更に、左右縦枠２４、２５との間のコーキング材１４は下枠２２との間のコーキング材１４と連続している。このため、上枠２１と左右縦枠２４、２５と下枠２２とに沿って連続するようにコーキング材１４が充填されている。
【００４９】
また、図９及び図１０に示すように、左縦枠２４のガラス支持部２４ａの端部からは、屋外方向に延設部２４ｄが延設されている。この延設部２４ｄは、地面及び外壁面１１ａに対して垂直な方向に開口部１５の外壁面１１ａにおける縁部まで延設されており、この延設部２４ｄが窓開口の左内側を覆うようになっている。この延設部２４ｄの左方には、外壁１１を形成するサイディング材１２が配置されており、このサイディング材１２の端部が延設部２４ｄの左面側に臨んでいる。そして、このサイディング材１２の端部と左縦枠２４との間には、コーキング材１４が充填されて間隙が埋められている。
【００５０】
また、右縦枠２５についても、図９に示すように、左縦枠２４と左右対称となっているので、左右を読み替える点を除き左縦枠２４と同様の構成となっている。
【００５１】
なお、上記した上枠２１の延設部２１ｄと、左縦枠２４の延設部２４ｄと、右縦枠２５の延設部２５ｄと、は、それぞれ同じ見込幅で突出しており、それぞれの延設部２１ｄ、２４ｄ、２５ｄが連続するように端部を当接して配置されている。このため、上左右の３辺において延設部２１ｄ、２４ｄ、２５ｄが均一に突出しているので、見栄えが良く、また強度的にも優れたものとなっている。
【００５２】
以上のように、本実施形態によれば、ガラス支持部２１ａ、２４ａ、２５ａの端部から水平または垂直に延設された延設部２１ｄ、２４ｄ、２５ｄで開口部１５の外壁１１側の端縁１５ａが形成されるため、ガラス支持部２１ａ、２４ａ、２５ａの内縁２１ｂ、２４ｂ、２５ｂ（ガラス支持部２１ａ、２４ａ、２５ａの端縁）と、開口部１５の外壁面１１ａにおける内縁（延設部２１ｄ、２４ｄ、２５ｄの端縁）とが、見込方向に重なる位置に配置されることとなる。このため、屋外から見たときにガラス支持部２１ａ、２４ａ、２５ａが見えないようになっており、枠材が極力露出せず、意匠性の高い嵌め殺し窓１０となっている。
【００５３】
すなわち、図６（ａ）に示すように、嵌め殺し窓１０を室外側から見ると、下枠２２のみが見えており、上枠２１や左右縦枠２４、２５が見えないため、すっきりとした意匠性の高い嵌め殺し窓１０となっている。
【００５４】
また、第1の実施例と同様に、嵌め殺し窓１０を室内側から見たときにも、縦枠押縁部材２８の露出面２８ｃが傾斜しているため、縦枠押縁部材２８の出っ張りがなく、縦枠押縁部材２８及び左右縦枠２４、２５を目立たなくすることができる。
【００５５】
すなわち、図１（ｂ）に示すように、嵌め殺し窓１０を室内側から見ると、上下枠２１、２２や左右縦枠２４、２５が内壁３４の裏側に配置されて見えない構造となっている。また、縦枠押縁部材２８は露出しているものの、凹凸がないために目立たないようになっている。なお、本実施形態においては額縁部材３１で室内側の開口部を覆っているが、額縁部材３１を設けずにクロス材を貼り付けるのみとしてもよい。
【００５６】
しかも、本実施形態によれば、上部及び左右において、延設部２１ｄ、２４ｄ、２５ｄが窓開口の内側を覆うため、壁体の壁圧を厚くして深見込みとした場合でも、コーナーサイディング材などの特別なサイディング材を使用せずに一般的なサイディング材１２で壁体の開口部１５を形成することができる。すなわち、開口部１５のサイディング材１２の端部を延設部２１ｄ、２４ｄ、２５ｄの側面に突き合わせることで、サイディング材１２の端部をキャップし、開口部１５を形成することができる。このため、コーナーサイディング材を使用せず、低コストで統一感のある壁体を形成できる。
【００５７】
（変形例）
上記した第１の実施形態及び第２の実施形態に係る下枠２２に代えて、下記のような下枠２２を採用してもよい。すなわち、図１１に示すように、第１の実施形態又は第２の実施形態の下枠２２と比較して、水切り部２２ｂを上方に形成した下枠２２を採用してもよい。
【００５８】
この下枠２２は、図１１に示すように、水切り部２２ｂを、ガラス２６の下端部を飲み込む飲込み部２２ａの下面と連続するように、この飲込み部２２ａの下面と略同じ高さに設けている。このように形成すれば、下枠２２の下部が壁体に覆われるようになっており、屋外側から見たときに下枠２２の露出を少なくすることができる。このため、枠材を極力露出しないようにすることができ、意匠性の高い嵌め殺し窓１０とすることができる。
【符号の説明】
【００５９】
１０  嵌め殺し窓
１１  外壁
１１ａ  外壁面
１２  サイディング材
１３  コーナーサイディング材
１３ａ  内壁部
１４  コーキング材
１５  開口部
１５ａ  端縁
１６  下地材
２１  上枠
２１ａ  ガラス支持部
２１ｂ  内縁
２１ｃ  押縁係合部
２１ｄ  延設部
２２  下枠
２２ａ  飲込み部
２２ｂ  水切り部
２３  カバー材
２４  左縦枠
２４ａ  ガラス支持部
２４ｂ  内縁
２４ｃ  押縁係合部
２４ｄ  延設部
２５  右縦枠
２５ａ  ガラス支持部
２５ｂ  内縁
２５ｃ  押縁係合部
２５ｄ  延設部
２６  ガラス
２７  上枠押縁部材
２７ｃ  露出面
２８  縦枠押縁部材
２８ａ  係止端部
２８ｂ  支持端部
２８ｃ  露出面
２９  緩衝部材
３０  アングル材
３１  額縁部材
３３  セッティングブロック
３４  内壁
３６  水切りキャップ
【図１】
2012052341.tif 000003
【図２】
2012052341.tif 000004
【図３】
2012052341.tif 000005
【図４】
2012052341.tif 000006
【図５】
2012052341.tif 000007
【図６】
2012052341.tif 000008
【図７】
2012052341.tif 000009
【図８】
2012052341.tif 000010
【図９】
2012052341.tif 000011
【図１０】
2012052341.tif 000012
【図１１】
2012052341.tif 000013